(57)【特許請求の範囲】
【請求項１】
浴槽の開口部を閉鎖する偶数枚の蓋板を、横並びにかつ異なる方向へ交互に折り曲げ自在に連結し、最も外側に位置する前記蓋板の双方の表面に、折り曲げ時に形成される山の頂上側に位置して折り曲げ操作用の取っ手を設けるとともに、最も外側に位置する前記蓋板の双方に、他と連結されていない一方の側辺に沿って表面側に突出するスタンド部を一体形成したことを特徴とする折り畳み式風呂蓋。
【請求項２】
浴槽の開口部を閉鎖する偶数枚の蓋板を、横並びにかつ異なる方向へ交互に折り曲げ自在に連結し、最も外側に位置する前記蓋板の双方の表面に、折り曲げ時に形成される山の頂上側に位置して折り曲げ操作用の取っ手を設けるとともに、折り曲げ時に互いに対をなして山を形成する２枚の蓋板のいずれか一方側の裏面に、他方の裏面に当接する突出部を形成したことを特徴とする折り畳み式風呂蓋。
【発明の詳細な説明】
【０００１】
【産業上の利用分野】
本発明は、取扱性に優れた折り畳み式風呂蓋に関する。
【０００２】
【従来の技術】
従来、浴槽の開口部を閉鎖するため風呂蓋には、折り畳み式のものやシャッター式のものが、例えば実公昭６３−４５９９１号公報に開示されている。前者の風呂蓋は、矩形状の蓋板を複数枚、所定の間隔毎に並列させたものを、その表面及び裏面から軟質の塩化ビニール製のシートにて密閉したものであり、非使用時には並列方向に折り畳むことが可能となっている。また、後者の風呂蓋は、長尺状の中空部材を多数、適当な長さに並列させ、相互に連結部材を介して回動自在に連結したものであり、非使用時には、一方側に巻き取ることが可能となっている。
【０００３】
【発明が解決しようとする課題】
しかしながら、このような従来の折り畳み式やシャッター式の風呂蓋においては、浴槽の開口部を閉鎖した状態から、折り畳んだり又は一方側に巻き取ったりする取り外し作業を行う際、前者の場合、蓋板の枚数に応じた回数の折り曲げ作業が必要となる。また、後者の場合、巻き取った後の径が大きくならず邪魔にならないようにするためには、一方側に隙間なく巻き取らなければならない。したがって、取り外し作業を行う際の作業性があまりよくなかった。また、前記取り外し作業を行う際や、逆に風呂蓋を展開して浴槽を閉鎖する際には、風呂蓋の裏面に付いていた水により手が濡れてしまうといった不具合もあった。
【０００４】
本発明は、このような従来の課題に鑑みてなされたものであり、取り外し作業が楽で、しかも手を濡らすことなく浴槽の開閉を行うことができる折り畳み式風呂蓋の提供を目的とする。
【０００５】
【課題を解決するための手段】
前記課題を解決するために請求項１の発明にあっては、浴槽の開口部を閉鎖する偶数枚の蓋板を、横並びにかつ異なる方向へ交互に折り曲げ自在に連結し、最も外側に位置する前記蓋板の双方の表面に、折り曲げ時に形成される山の頂上側に位置して折り曲げ操作用の取っ手を設けるとともに、最も外側に位置する前記蓋板の双方に、他と連結されていない一方の側辺に沿って表面側に突出するスタンド部を一体形成した。
【０００６】
また、請求項２の発明にあっては、浴槽の開口部を閉鎖する偶数枚の蓋板を、横並びにかつ異なる方向へ交互に折り曲げ自在に連結し、最も外側に位置する前記蓋板の双方の表面に、折り曲げ時に形成される山の頂上側に位置して折り曲げ操作用の取っ手を設けるとともに、折り曲げ時に互いに対をなして山を形成する２枚の蓋板のいずれか一方側の裏面に、他方の裏面に当接する突出部を形成した。
【０００８】
【作用】
請求項１の折り畳み式風呂蓋において、例えば蓋板が４枚の場合、浴槽の開口部を閉鎖する使用状態にあるとき、両手で最も外側に位置する蓋板の双方の取っ手を介して蓋板を持ち上げ、幅を狭める方向に移動させると、それぞれの蓋板が交互につまりＭ字型に折り曲げられたのち、それぞれの裏面同士が面接するように折り畳まれて非使用状態となる。
【０００９】
また、非使用状態で浴槽の上部に乗せ、双方の取っ手を離すように移動させれば、蓋板が展開し再び使用状態となる。このとき、双方の取っ手を僅かに持ち上げれば、外側の蓋板の下方側が自動的に広がり方向へ傾き、上記の操作を支障なく行うことができる。したがって、蓋板、特にその裏面に触れることなく、容易に折り畳んだり展開させたりすることができる。しかも、取っ手が設けられている最も外側に位置する蓋板の双方に一体形成されたスタンド部により、折り畳まれた非使用時の風呂蓋により確かな自立性を得ることができる。
【００１０】
また、請求項２の折り畳み式風呂蓋においても、請求項１のものと同様、蓋板、特にその裏面に触れることなく、容易に折り畳んだり展開させたりすることができる。しかも、折り曲げ時に互いに対をなして山を形成する２枚の蓋板のいずれか一方側の裏面に、他方の裏面に当接する突出部が形成されているため、折り畳まれた風呂蓋を展開するとき、双方の裏面間に形成された水の膜によって蓋板同士が吸着されることが未然に防止される。
【００１２】
【実施例】
以下、本発明の一実施例を図にしたがって説明する。すなわち図１及び図２は、本発明に係る折り畳み式風呂蓋（以下、風呂蓋と称す）を示すものであって、風呂蓋は、短辺方向に並んだ４枚の矩形状の蓋板１・・・を有している。蓋板１は合成樹脂製であって、図３に示すように、ガスインジェクション成形により、その内部には複数のリブ２が存在する中空部３が設けられている。
【００１３】
また、蓋板１・・・は、各々が互いに隣接する他の蓋板１とヒンジ片４を介して連結されている。ヒンジ片４・・・は、折り曲げ自在な軟質の合成樹脂により形成されており、蓋板１の表面１ａ側および裏面１ｂ側の側縁に、交互に対をなして形成された各溝５内に、面一状に収容されるとともに熱溶着によって固定されている。これにより、風呂蓋は異なる方向に交互に折り曲げ自在となっている。
【００１４】
さらに、風呂蓋には、最も外側に位置する双方の蓋板１，１の表面の中央部分に、折り曲げ時に形成される山イ，ロの頂上側である側縁の近傍に（図４参照）、折り曲げ操作用の合成樹脂製の取っ手６，６が取り付けられている。
【００１５】
以上の構成からなる本実施例においては、風呂蓋が浴槽の開口部を閉鎖する使用状態（図１，２の状態）にあるとき、両手で双方の前記取っ手６，６を介して外側の蓋板１，１を持ち上げ、幅を狭める方向に移動させると、図４に示すように、４枚の蓋板１・・・がＭ字型に折り曲げられた後、裏面１ｂ同士が面接するように折り畳まれて非使用状態となる（図５の状態）。これにより、風呂蓋の取り外し作業を楽に行うことができる。また、取っ手６，６を持ち上げて、浴槽の上部からそのままの状態で取り除くこともできる。
【００１６】
逆に、折り畳まれた風呂蓋を浴槽の上部に乗せ、双方の取っ手６，６を離すように移動させれば、各蓋板１同士を展開させることができる。このとき、双方の取っ手６，６を僅かに持ち上げれば、外側の蓋板１，１の下方側が自重により広がり方向（図４で矢示した方向）へ傾き、上記作業を支障なく行える。このように、本実施例の風呂蓋では、蓋板１の裏面に触れることなく風呂蓋を容易に折り畳んだり展開させたりすることができる。よって、手を濡らすことなく浴槽の開閉作業を行うことができる。
【００１７】
また、本実施例においては、蓋板１を合成樹脂でガスインジェクション成形により形成するようにしたことから、前述したように、内部に複数のリブ２が存在する中空部３を設けることができる。よって、蓋板１つまり風呂蓋に要求される剛性を確保しつつ軽量化を図ることができ、しかも、風呂蓋を安価に提供することができる。
【００１８】
なお、本実施例においては、蓋板１が４枚の場合を示したが、蓋板１は偶数枚であれば、例えば６枚等であっても構わない。その場合、風呂蓋の取り外し作業においては、前述と同様の手順により、風呂蓋を鋸刃状に折り曲げたのち、裏面同士が面接するように折り畳み、また使用に際しては、それを逆の手順にて行うことにより本実施例に示したものと同一の効果を得ることができる。
【００１９】
また、本実施例では取っ手６，６と蓋板１とが別体に形成されたものを示したが、双方をガスインジェクション成形又は他の成形方法により一体的に形成すれば、コストの削減を図ることができる。
【００２０】
さらに、取っ手６，６を蓋板１に一体形成する際には、取っ手６を本実施例のように蓋板１の表面１ａから必ずしも突出させる必要はなく、例えば蓋板１の表面１ａに、凹部と、その上方側の半分を覆う表面１ａに面一な庇部とを形成し、これにより、蓋板１の表面１ａに自動車のドアのノブのような取っ手部を設けるようにしてもよい。その場合には、本実施例と同一の効果が得られるだけでなく、折り畳んだ風呂蓋に突出部分が存在しないため、非使用時には蓋板１の表面１ａ側を壁際に寄せて置ける等、置き場所の選択範囲を広げることができる。
【００２１】
またこれとは別に、図６に示すように、前述した最も外側の双方の蓋板１，１の他と連結されていない一方の側辺に沿って、表面１ａ側に突出するスタンド部６１を一体形成してもよい。かかる構造にすれば、折り畳まれた非使用時の風呂蓋により確かな自立性を得られるため、スタンド部６１がないものに比べて、転倒の心配がないことを理由として置き場所の選択範囲を広げることができ、これによっても、非使用時における取扱性が向上する。
【００２２】
また、図示しないが、風呂蓋の折り曲げ時に互いに対をなして山を形成する２枚の蓋板１，１のいずれか一方側の裏面１ｂに、他方の裏面に当接する突起や突条等の突出部を１乃至は複数形成してもよい。その場合には、折り畳まれた風呂蓋を展開するとき、双方の裏面１ｂ，１ｂ間に形成された水の膜によって前記蓋板１，１同士が吸着されることが未然に防止される。よって、使用時における取扱性がより確実なものとなる。しかも、前記突出部を突条とした場合には、それを蓋板１・・・の並び方向に延在させておけば、風呂蓋を折り畳んだとき、風呂蓋の裏面側に付いた水を突条に沿って浴槽内に滴下させることもでき、風呂蓋を折り畳んだ際の水きり効果が得られる。
【００２３】
さらに、前記蓋板１・・・同士は、前述した方法に限らず、例えば図７及び図８に示した構造により連結させてもよい。すなわち、図７（図１のＢ部に相当する部分を示す図）に示すように、予め各蓋板１の側辺に互いに噛合する凸部７１，７１を一体形成しておき、噛合させた凸部７１・・・の中心部に、前記側辺に沿って樹脂製のピン７２を貫通させることにより、隣接する蓋板１，１同士を回動自在にする。つまり蓋板１自体によりヒンジを構成させてもよい。なお、かかる構造においては、使用時に互いに噛合する凸部７１，７１が風呂蓋の裏面に突出するが、予め凸部７１，７１を浴槽の縁から外れる位置に設けることにより、浴槽の縁に密接させることができる。
【００２４】
【発明の効果】
以上説明したように、請求項１及び請求項２の折り畳み式風呂蓋においては、取っ手を持って操作するだけで、蓋板、特にその裏面に触れることなく容易に折り畳んだり展開したりすることができる構成とした。このため、浴槽の上部における取り外し作業を楽に行え、しかも手を濡らすことなく浴槽の開閉作業を行うことができ、取扱性に優れた折り畳み式風呂蓋となる。
【００２７】
また、特に請求項１のものにおいては、折り畳まれた非使用時の風呂蓋により確かな自立性を得ることができるため、転倒の心配がないことを理由として置き場所の選択範囲を広げることができ、非使用時における取扱性が向上する。
【００２８】
また、特に請求項２のものにおいては、折り畳まれた風呂蓋を展開するとき、双方の裏面間に形成された水の膜によって蓋板同士が吸着されることが未然に防止されるため、使用時における取扱性がより確実なものとなる。
【図面の簡単な説明】
【図１】本発明の一実施例を示す平面図である。
【図２】同実施例の正面図である。
【図３】図２のＡ−Ａ断面図である。
【図４】同実施例の取り扱い方法を示す状態図である。
【図５】同実施例の折り畳み状態を示す正面図である。
【図６】本発明の他の実施例を示す図５に対応する正面図である。
【図７】同他の実施例を示す図１のＢ部に相当する部分拡大図である。
【図８】図７のＣ−Ｃ線断面図である。
【符号の説明】
１    蓋板
１ａ    表面
１ｂ    裏面
２    リブ
３    中空部
４    ヒンジ片
６    取っ手
イ，ロ    山
【図１】
0003549568.tif 000002
【図２】
0003549568.tif 000003
【図３】
0003549568.tif 000004
【図４】
0003549568.tif 000005
【図５】
0003549568.tif 000006
【図６】
0003549568.tif 000007
【図７】
0003549568.tif 000008
【図８】
0003549568.tif 000009